(57)【要約】【課題】家庭の視聴者がインタラクティブにチャンネルプログラミングガイドを制御することを可能にするプロセスおよび家庭内ビデオガイドハードウェアを提供すること。【解決手段】ＴＶ視聴者リモートコントロール送信機（35）によってインタラクティブに制御されるシステムは、視聴者の要求に応じて、視聴者のディスプレイスクリーン（33）上に、プログラムガイド上で識別されたプログラムに関連する説明的データおよびビデオクリップを表示する。チューナ（17）は、複数のケーブルチャンネルにおけるＴＶ無線周波数信号あるいは光送信信号を受信し、複数のチャンネルの中から選択された任意の１つのチャンネルの視聴者利用可能信号を信号コンバイナに伝える。コンピュータ（11）は、ＴＶ視聴者リモートコントロール送信機（35）から複数の制御信号のいずれかを受信する。【選択図】図１
2010119151.tif 000002
【特許請求の範囲】
【請求項１】
ビデオを選択し、スタートし、表示するシステムであって、
ユーザ入力を受け取るユーザ入力デバイスと、
コントロールユニットと
を備え、
前記コントロールユニットは、
複数の不揃いのサイズのセルを含む番組ガイドを表示することであって、前記不揃いのサイズのセルのサイズは、前記不揃いのサイズのセル内で識別された番組の所要時間に対応する、ことと、
前記ユーザ入力デバイスから、前記番組ガイド内で識別された番組の番組選択として前記ユーザ入力を受け取ることと、
前記番組選択の受け取りに応答して、前記番組選択に対応するビデオをスタートすることと、
前記スタートしたビデオを表示することと
を実行する、システム。
【請求項２】
前記コントロールユニットは、前記番組選択を受け取ると実質的にすぐに、前記ビデオをスタートして表示する、請求項１に記載のシステム。
【請求項３】
前記番組ガイドは、前記ビデオがスタートされ表示されるように利用可能であることを識別するインジケータを含む、請求項１に記載のシステム。
【請求項４】
前記番組ガイドは、前記番組選択のための文字で表わされた説明を含む、請求項１に記載のシステム。
【請求項５】
前記コントロールユニットはまた、前記ビデオを表示する一方で、前記番組選択に対応する文字で表わされた説明を同時に表示する、請求項１に記載のシステム。
【請求項６】
前記コントロールユニットはまた、
ビデオが前記番組選択のために利用可能であるかどうかを判定し、
利用可能なビデオがない場合、前記番組選択のための文字で表わされた説明を表示する、請求項１に記載のシステム。
【請求項７】
前記コントロールユニットは、前記ビデオを連続的なループで表示する、請求項１に記載のシステム。
【請求項８】
ユーザ入力デバイスとコントロールユニットと表示デバイスとを備えたシステムにおいて、ビデオを選択し、スタートし、表示する方法であって、
前記ユーザ入力デバイスが、ユーザ入力を受け取ることと、
前記コントロールユニットが、複数の不揃いのサイズのセルを含む番組ガイドを前記表示デバイスに表示することであって、前記不揃いのサイズのセルのサイズは、前記不揃いのサイズのセル内で識別された番組の所要時間に対応する、ことと、
前記コントロールユニットが、前記番組ガイド内で識別された番組の番組選択として前記ユーザ入力を前記ユーザ入力デバイスから受け取ることと、
前記コントロールユニットが、前記番組選択の受け取りに応答して、前記番組選択に対応するビデオをスタートすることと、
前記コントロールユニットが、前記スタートしたビデオを前記表示デバイスに表示することと
を包含する方法。
【請求項９】
前記ビデオは、前記番組選択を受け取ると実質的にすぐに、前記コントロールユニットによってスタートされて表示される、請求項８に記載の方法。
【請求項１０】
前記番組ガイドは、前記ビデオがスタートされ表示されるように利用可能であることを識別するインジケータを含む、請求項８に記載の方法。
【請求項１１】
前記インジケータはアイコン形式である、請求項１０に記載の方法。
【請求項１２】
前記番組ガイドは、前記番組選択のための文字で表わされた説明を含む、請求項８に記載の方法。
【請求項１３】
前記コントロールユニットが、前記ビデオを表示する一方で、前記番組選択に対応する文字で表わされた説明を同時に前記表示デバイスに表示することをさらに包含する、請求項８に記載の方法。
【請求項１４】
前記コントロールユニットが、ビデオが前記番組選択のために利用可能であるかどうかを判定することと、
前記コントロールユニットが、利用可能であるビデオがない場合、前記番組選択のための文字で表わされた説明を前記表示デバイスに表示することと
をさらに包含する、請求項８に記載の方法。
【請求項１５】
前記コントロールユニットが、前記ビデオを連続的なループで前記表示デバイスに表示することをさらに包含する、請求項８に記載の方法。
【請求項１６】
ビデオクリップを選択して表示するシステムであって、
ユーザ入力を受け取るユーザ入力デバイスと、
コントロールユニットと
を備え、
前記コントロールユニットは、
複数の不揃いのサイズのセルのアレイを含む番組ガイドを表示することであって、前記不揃いのサイズのセルのサイズは、前記不揃いのサイズのセル内で識別された番組の所要時間に対応する、ことと、
前記ユーザ入力デバイスから、前記複数の不揃いのサイズのセルのうちの１つの選択として前記ユーザ入力を受け取ることと、
前記ユーザ入力により選択された前記複数の不揃いのサイズのセルのうちの１つにおいて識別された番組に対応するビデオクリップを表示することと
を実行する、システム。
【請求項１７】
前記コントロールユニットは、前記ユーザ入力を受け取るとすぐに前記ビデオクリップを表示する、請求項１６に記載のシステム。
【請求項１８】
前記コントロールユニットは、前記複数の不揃いのサイズのセルのうちの１つが、ビデオクリップが前記複数の不揃いのサイズのセルのうちの１つに対応する番組のために表示されるように利用可能であることを識別するインジケータを含むように前記番組ガイドを表示する、請求項１６に記載のシステム。
【請求項１９】
前記コントロールユニットは、前記番組ガイドが前記複数の不揃いのサイズのセルのうちの１つに対応する番組のための文字で表わされた説明を含むように前記番組ガイドを表示する、請求項１６に記載のシステム。
【請求項２０】
前記コントロールユニットはまた、前記ビデオクリップを表示する一方で、前記ユーザ入力により選択された前記複数の不揃いのサイズのセルのうちの１つにおいて識別された前記番組に対応する文字で表わされた説明を同時に表示する、請求項１６に記載のシステム。
【請求項２１】
前記コントロールユニットはまた、
ビデオクリップが前記複数の不揃いのサイズのセルのうちの１つのために利用可能であるかどうかを判定し、
利用可能なビデオクリップがない場合、前記複数の不揃いのサイズのセルのうちの１つに対応する前記番組のための文字で表わされた説明を表示する、請求項１６に記載のシステム。
【請求項２２】
前記コントロールユニットは、前記ビデオクリップを連続的なループで表示する、請求項１６に記載のシステム。
【請求項２３】
ユーザ入力デバイスとコントロールユニットと表示デバイスとを備えたシステムにおいて、ビデオクリップを選択して表示する方法であって、
前記ユーザ入力デバイスが、ユーザ入力を受け取ることと、
前記コントロールユニットが、複数の不揃いのサイズのセルのアレイを含む番組ガイドを前記表示デバイスに表示することであって、前記不揃いのサイズのセルのサイズは、前記不揃いのサイズのセル内で識別された番組の所要時間に対応する、ことと、
前記コントロールユニットが、前記複数の不揃いのサイズのセルのうちの１つの選択として前記ユーザ入力を前記ユーザ入力デバイスから受け取ることと、
前記コントロールユニットが、前記ユーザ入力により選択された前記複数の不揃いのサイズのセルのうちの１つにおいて識別された番組に対応するビデオクリップを前記表示デバイスに表示することと
を包含する方法。
【請求項２４】
前記コントロールユニットが前記ビデオクリップを表示することは、前記ユーザ入力を前記ユーザ入力デバイスから受け取るとすぐに起こる、請求項２３に記載の方法。
【請求項２５】
前記コントロールユニットが前記番組ガイドを表示することは、前記コントロールユニットが、ビデオクリップが前記複数の不揃いのサイズのセルのうちの１つに対応する番組のために表示されるように利用可能であることを識別するインジケータを前記複数の不揃いのサイズのセルのうちの１つが含むように前記番組ガイドを前記表示デバイスに表示することを包含する、請求項２３に記載の方法。
【請求項２６】
前記コントロールユニットが前記番組ガイドを表示することは、前記コントロールユニットが、前記複数の不揃いのサイズのセルのうちの１つに対応する番組のための文字で表わされた説明を前記番組ガイドが含むように前記番組ガイドを前記表示デバイスに表示することを包含する、請求項２３に記載の方法。
【請求項２７】
前記コントロールユニットが、前記ビデオクリップを表示する一方で、前記ユーザ入力により選択された前記複数の不揃いのサイズのセルのうちの１つにおいて識別された前記番組に対応する文字で表わされた説明を同時に前記表示デバイスに表示することをさらに包含する、請求項２３に記載の方法。
【請求項２８】
前記コントロールユニットが、ビデオクリップが前記複数の不揃いのサイズのセルのうちの１つのために利用可能であるかどうかを判定することと、
前記コントロールユニットが、利用可能であるビデオクリップがない場合、前記複数の不揃いのサイズのセルのうちの１つに対応する前記番組のための文字で表わされた説明を前記表示デバイスに表示することと
をさらに包含する、請求項２３に記載の方法。
【請求項２９】
前記コントロールユニットが前記ビデオクリップを表示することは、前記コントロールユニットが、前記ビデオクリップを連続的なループで前記表示デバイスに表示することを包含する、請求項２３に記載の方法。
【請求項３０】
ビデオの選択、スタートおよび表示を制御する装置であって、
複数の不揃いのサイズのセルを含む番組ガイドを表示するための制御信号を生成する手段であって、前記不揃いのサイズのセルのサイズは、前記不揃いのサイズのセル内で識別された番組の所要時間に対応する、手段と、
ユーザ入力デバイスから、前記番組ガイド内で識別された番組の番組選択としてユーザ入力を受け取る手段と、
前記番組選択の受け取りに応答して、選択された番組に対応するビデオをスタートするための制御信号を生成する手段と、
前記スタートしたビデオを表示するための制御信号を生成する手段と
を備える、装置。
【請求項３１】
前記ビデオは、前記番組選択を受け取ると実質的にすぐに、スタートして表示される、請求項３０に記載の装置。
【請求項３２】
前記番組ガイドは、前記ビデオがスタートされ表示されるように利用可能であることを識別するインジケータを含む、請求項３０に記載の装置。
【請求項３３】
前記番組ガイドは、前記番組選択のための文字で表わされた説明を含む、請求項３０に記載の装置。
【請求項３４】
前記ビデオを表示する一方で、前記番組選択に対応する文字で表わされた説明を同時に表示するための制御信号を生成する手段をさらに備える、請求項３０に記載の装置。
【請求項３５】
ビデオが前記番組選択のために利用可能であるかどうかを判定する手段と、
利用可能なビデオがない場合、前記番組選択のための文字で表わされた説明を表示するための制御信号を生成する手段と
をさらに備える、請求項３０に記載の装置。
【請求項３６】
前記ビデオは連続的なループで表示される、請求項３０に記載の装置。
【請求項３７】
装置により、ビデオの選択、スタートおよび表示を制御する方法であって、
複数の不揃いのサイズのセルを含む番組ガイドを表示デバイスに表示するための制御信号を生成することであって、前記不揃いのサイズのセルのサイズは、前記不揃いのサイズのセル内で識別された番組の所要時間に対応する、ことと、
ユーザ入力デバイスから、前記番組ガイド内で識別された番組の番組選択としてユーザ入力を受け取ることと、
前記番組選択の受け取りに応答して、前記番組選択に対応するビデオをスタートするための制御信号を生成することと、
前記スタートしたビデオを表示デバイスに表示するための制御信号を生成することと
を包含する方法。
【請求項３８】
前記ビデオは、前記番組選択を受け取ると実質的にすぐに、スタートして表示される、請求項３７に記載の方法。
【請求項３９】
前記番組ガイドは、前記ビデオがスタートされ表示されるように利用可能であることを識別するインジケータを含む、請求項３７に記載の方法。
【請求項４０】
前記インジケータはアイコン形式である、請求項３９に記載の方法。
【請求項４１】
前記番組ガイドは、前記番組選択のための文字で表わされた説明を含む、請求項３７に記載の方法。
【請求項４２】
前記ビデオを表示する一方で、前記番組選択に対応する文字で表わされた説明を同時に前記表示デバイスに表示するための制御信号を生成することをさらに包含する、請求項３７に記載の方法。
【請求項４３】
ビデオが前記番組選択のために利用可能であるかどうかを判定することと、
利用可能なビデオがない場合、前記番組選択のための文字で表わされた説明を前記表示デバイスに表示するための制御信号を生成することと
をさらに包含する、請求項３７に記載の方法。
【請求項４４】
前記ビデオは連続的なループで前記表示デバイスに表示される、請求項３７に記載の方法。
【発明の詳細な説明】
【技術分野】
【０００１】
発明の背景
本発明は、広くはインタラクティブ・ビデオ通信に関しており、より詳しくは視聴者によって制御されるチャンネルプログラミングガイド表示に関する。
【背景技術】
【０００２】
プログラミングガイド情報は、現在、プログラミングガイド情報を伝達する複数の文字からなる非インタラクティブページまたはスクロールのかたちで家庭用テレビの視聴者に表示されている。
【０００３】
電子プログラムガイドは、Matthew  D.  Millerによる「1990年代の米国におけるインタラクティブマルチメディアケーブルテレビジョンシステム展開のシナリオ」、Proceedings  of  the  IEEE、第82巻、第4号、1994年4月、第585〜89頁に述べられているように、プログラム情報を家庭用テレビ視聴者に表示するのにも用いることができる。
【発明の概要】
【発明が解決しようとする課題】
【０００４】
現在のプログラミングガイドシステムにおいては、選択されたプログラム内容のビデオクリップ表示は、プログラミングソース側の方向および制御においてのみ利用可能であり、ユーザ側では利用可能ではない。ビデオクリップが提示されている時にたまたま視聴者がプログラミングガイド表示に合わせているのでなければ、視聴者には利用できるビデオクリップ情報がない。
【課題を解決するための手段】
【０００５】
よって、本発明の目的は、家庭の視聴者がインタラクティブにチャンネルプログラミングガイドを制御することを可能にするプロセスおよび家庭内ビデオガイドハードウェアを提供することにある。本発明の別の目的は、家庭の視聴者が、視聴者自身の要求に応じて、チャンネルプログラミングガイド上で識別された１つ以上のプログラムに関するビデオクリップの視聴を選択することを可能にするプロセスおよび家庭内ビデオガイドハードウェアを提供することにある。本発明のさらに別の目的は、視聴者のリクエストに応じてビデオクリップを利用可能にするチャンネルプログラミングガイド上に表示されるそれらのプログラムを識別するプロセスおよび家庭内ビデオガイドハードウェアを提供することにある。
【０００６】
発明の要旨
本発明によれば、ＴＶ視聴者リモートコントロール送信機によってインタラクティブに制御されるシステムは、プログラムガイド上で識別されたプログラムに関連する説明的データおよびビデオクリップを、視聴者の要求に応じて、視聴者のディスプレイスクリーン上に表示する。チューナは、複数のケーブルチャンネルにおけるＴＶ無線周波数信号あるいは光送信信号を受信し、複数のチャンネルの中から選択された任意の１つのチャンネルの視聴者利用可能信号を信号コンバイナに伝える。コンピュータは、ＴＶ視聴者リモートコントロール送信機から複数の制御信号のいずれかを受信する。また、コンピュータは、ＴＶ視聴者リモートコントロール送信機からの複数の制御信号の１つに応答して、選択された任意のチャンネルの視聴者利用可能信号を伝えるようにチューナを制御する。また、コンピュータは、ローカルプログラムガイドデータを含む入力ピクチャイメージ信号、ならびにプログラムガイドデータで識別された、複数のプログラムの中から選択されたいくつかのプログラムに関連する説明的データおよびビデオクリップを受信して記憶する。また、コンピュータは、入力ピクチャイメージ信号の少なくとも一部からなる出力ピクチャイメージ信号を発生する。視聴者は、このリモートを用いて、選択されたプログラムの説明的データおよびビデオクリップを含む出力ピクチャイメージ信号の内容を選択するようにコンピュータを制御する。信号コンバイナは、チューナからの、選択された任意のチャンネルの視聴者利用可能信号を、コンピュータからの出力ピクチャイメージ信号に結合することによって、チャンネルプログラミング表示上にスーパーインポーズされている、選択された説明的データおよびビデオクリップを含む表示信号を供給し、視聴者のディスプレイスクリーンに入力されるようにする。
【０００７】
以下に本発明を好ましい実施形態およびプロセスに関連して説明するが、これは、本発明をそのような実施形態やプロセスに限定することを意図してなすわけではないことを理解されたい。逆に、本発明は、ありとあらゆる置き換え、変更、ならびに等価な構成を、添付のクレームにより規定される本発明の着想および範囲内に含まれるものとしてカバーするように意図されているものである。
【図面の簡単な説明】
【０００８】
本発明のその他の目的および効果は、以下の詳細な説明を読み、図面を参照することによって明らかになるであろう。図面において、
【図１】図1は、説明的データおよびビデオクリップ機能をともなうインタラクティブプログラムガイドにおけるハードウェアの好ましい実施形態を図示するブロック図であり、
【図２】図2は、インタラクティブプログラムガイドの説明およびビデオクリップ機能における基本的プロセスおよびいくつかの選択肢を図示するフローチャートであり、
【図３】図3は、プログラムガイドデータに対するアクセスを可能にするインタラクティブプログラムガイドメインメニュー表示の図であり、
【図４】図4は、視聴者が所望のプログラミングの日付を選択できるモードにおけるインタラクティブプログラムガイドデータ表示の図であり、
【図５】図5は、視聴者が所望のプログラミングの時刻を選択できるモードにおけるインタラクティブプログラムガイドデータ表示の図であり、
【図６】図6は、視聴者が所望のプログラムを選択できるモードにおけるインタラクティブプログラムガイドデータ表示の図であり、
【図７】図7は、視聴者が、説明的データとともにビデオクリップも利用可能であるプログラムを選択した場合のインタラクティブプログラムガイドデータ表示の図であり、
【図８】図8は、説明的データおよびビデオクリップが表示されている場合のインタラクティブプログラムガイドデータ表示の図である。
【発明を実施するための形態】
【０００９】
発明の詳細な説明
まず図1は、インタラクティブプログラムガイドの構成要素を示している。コマンド情報受信機、好ましくは赤外または無線周波数受信機13を有するコンピュータ11は、制御信号15をチューナ17に供給し、ピクチャイメージ信号19をディジタルビデオボード21に供給する。チューナ17は、無線周波数または光を用いた送信を、視聴者が使用できる信号に変換または復調することによって、ケーブルソース（不図示）からチューナ17に入力された複数の信号25の中から選択された信号23を出力する。このケーブルソースは、典型的には、同軸ケーブル、空間を伝わる無線周波数または光ファイバを介して送信される周波数分割多重化されたビデオ、オーディオおよびデータ信号である。ディジタルビデオボード21は、ディジタルデータをビデオ信号に変換する。チューナ出力信号または基本プログラミング信号23は、ジェンロック信号コンバイナまたはオーバレイヤ29において、ディジタルビデオボード21からの情報ピクチャイメージ信号27とスーパーインポーズされ、ビデオ表示信号31を視聴者のテレビジョンの視聴者のディスプレイスクリーン33に供給する。情報ピクチャイメージ信号27は、ビデオガイドプログラミングスケジュールに含まれている選択された１つ以上のプログラムの簡単な説明およびプレビューを与える文字で表された説明、または文字で表された説明およびビデオクリップセグメントを含んでいる。各ビデオクリップセグメントにおいて、選択されたプログラムからのいくつかのシーンが、視聴者にプログラムの内容を理解させることができるように与えられる。プログラミングスケジュール上で、説明的情報およびビデオクリップがともに利用可能であるプログラムには、そのタイトルと共にアイコンが表示される。あるビデオクリップが選択されても、その説明およびクリップは継続する。視聴者は、好ましくは赤外送信機または無線周波数送信機35であるリモートコントロール送信機を用いてコマンドを受信機13に送ることによって、コンピュータ11の動作を制御し、表示すべきビデオクリップを選択する。コンピュータ11は、マイクロプロセッサ・ベースであり、ランダムアクセスメモリ（RAM）および／またはリードオンリーメモリ（ROM）を利用してもよい。マイクロプロセッサを動作させるのに必要なソフトウェアは、デバイスに組み込まれていてもよく、ケーブルシステムを介して、デバイスへダウンロードされてもよい。
【００１０】
上述のインタラクティブプログラムガイドの構成要素は、コンピュータ11の制御に応答して動作する。任意のベーシックプログラム信号23を入力部25からジェンロックコンバイナ29に供給しているチューナ17に応答して、家庭の視聴者がそのディスプレイ33上に表示されているプログラミングを見ている間に、視聴者は、ディジタルビデオボード21を介してコンピュータ11からコンバイナ29に入力可能であるプログラミングガイド情報を同時に見るという選択をすることもできる。視聴者は、ただリモート35上の所定のキーを押すだけで、「プログラムガイド」表示を選択することができる。図3に示すように、「プログラムガイド」ノーメンクレイチャ（nomenclature）が、スクリーン上に示されている「プログラムサーチ」あるいは「カスタムセットアップ」といったその他のメインメニュー情報とともにスクリーン上に現れる。好ましくは、図示されているように、メニューは、自動的に「プログラムガイド」の選択にデフォールトする。この分岐点において、視聴者が、リモート35上の所定のキー（例えばハイライトボタン）を押すと、図4の表示に図示されているように、「プログラムガイド」プログラムがエンターされる。好ましくは、上向きの矢印あるいは下向きの矢印を用いることによって、視聴者は、次に、プログラミングを望む日付を選択する。図示されているように、ユーザは、プログラミングの日付として5月12日を選択している。
【００１１】
さて図5を参照すると、視聴者は次に、好ましくは利用可能である複数の時間帯に目を通すための右向きの矢印を用いて、プログラミングを望むタイムスロットを選択する。選択された時刻はハイライト表示される。図5に示すように、視聴者は午前9:00を選択している。リモート35上の別の所定のボタン（例えばハイライトボタン）を押すことによって、図6に示すように、ユーザは、ガイドが現在設定されているプログラムをハイライト表示する、つまり識別することができる。次に、リモート35上の所定の複数のキー（例えば上向きあるいは下向きの矢印）を用いて、視聴者は、特定のプログラムに対してビデオクリップが利用可能であることを示すアイコンを含むプログラムを選択するために、ハイライトカーソルを動かすことができる。そのハイライトは、もともとは、図6に示すように、プログラム「セトル・ザ・スコア（Settle  the  Score）」に設定されていた。図7では、ユーザは、ビデオクリップが利用可能であることを示すアイコン40を含むプログラム「ザ・ビハリーヒル・ビリーズ（The  Beverly  Hillbilly's）」にハイライトをシフトダウンしている。次に、視聴者は、リモート35上の所定のキー（例えば、ハイライトボタン）を押し、選択されたプログラムに関する文字で表された説明およびビデオクリップを、ビデオスクリーン33上に表示させる。この様子は、図8に図示されている。
【００１２】
この表示を実現すると、図2に示すように、視聴者がプレビューするプログラムを選択した（41）時、コンピュータ11のビデオクリップルーチンは、「プログラムに対応するプレビューは存在するか」（43）どうかを問い合わせる。もしこの問い合わせに対する回答が「ノー」（45）なら、ルーチンは「説明ページを表示」（47）に進み、プログラムに対して利用可能である、文字で表された説明のみが表示される。図示されているように、視聴者がリモート35上の所定のキー（例えば終了キー）を押し「説明ページから抜ける」（60）ことによってこのモードを終了するまで、この表示は、「ユーザが終了するのを待つ」期間（49）の間も継続する。もしこの「プログラムに対応するプレビューは存在するか」（43）という問い合わせに対する回答が「イエス」（51）であるのなら、コンピュータ11は、ディジタルビデオボード21を介してジェンロック29へと「ビデオプレビューをロード」（53）し、チューナ17からの信号23と結合されるようにする。次に、視聴者のビデオディスプレイ33は、「説明ページを表示」（55）ステップおよび「ビデオ再生をスタート」ステップ（57）を通して、文字で表された説明と同時表示のかたちでビデオクリップを無限ループ（continuous  loop）で再生させる。この表示は、「ユーザが終了するのを待つ」（59）期間の間も継続する。よってこの表示は、視聴者がリモート35上の所定のキー（例えば終了キー）を押し「説明ページからぬける」（60）ことによってこのモードを終了するまで継続する。
【００１３】
このようにして、本発明によれば、上述の目的、目標および効果を十分に満足するビデオクリッププログラムガイドが提供されうることは明らかである。以上、本発明を具体的な実施形態に関連して説明したが、多くの置き換え、変更およびバリエーションが、上述の記載に鑑みて当業者に明らかなことは明白である。したがって、本発明は、そのような置き換え、変更およびバリエーションのすべてが、添付されたクレームの着想の範囲内に含まれているように意図されているものである。
【図１】
2010119151.tif 000003
【図２】
2010119151.tif 000004
【図３】
2010119151.tif 000005
【図４】
2010119151.tif 000006
【図５】
2010119151.tif 000007
【図６】
2010119151.tif 000008
【図７】
2010119151.tif 000009
【図８】
2010119151.tif 000010